(57)【要約】【課題】コンクリート養生後、そのまま土中に埋没することができ、さらに、高さ調節のできる金属製のパネル型枠を提供する。【解決手段】コンクリート建造物を築造するための型枠であって、捨てコンＣ上に敷設される一対のランナー１と、下端部を組付けて立設する複数枚の金属パネル２と、上段の金属パネルの上端部に嵌着して金属パネルを接続するキャップ３と、左右に対向位置する金属パネル間に架設するセパフック４と、上段の金属パネルと下段の金属パネルを接続する横端フレーム６と、左右に対向位置する金属パネル間に架設するセパフレーム７と、からなるものである。【選択図】      図１
2004285620.tif 000002
【特許請求の範囲】
【請求項１】
コンクリート建造物を築造するための型枠であって、少なくとも、捨てコン（Ｃ）上に敷設され，左右に対向位置する一対のランナー（１）と、前記一対のランナーのそれぞれに，下端部を組付けて立設する複数枚で，かつ複数段の金属パネル（２）と、前記複数段の金属パネル（２）の内，上段の金属パネルの上端部に上から嵌着して，該上段の金属パネルを接続するキャップ（３）と、左右両端部をキャップの上から嵌着して，左右に対向位置する金属パネル間に架設するセパフック（４）と、前記複数段の金属パネル間に設けられ，上段の金属パネルの下端部を上凹部（６ｂ）に嵌入すると共に，下段の金属パネルの上端部を下凹部（６ａ）に嵌入して，複数段の金属パネルを接続する横端フレーム（６）と、左右両端部を，前記横端フレームの内上壁（６ｃ）に上から嵌合して，左右に対向位置する金属パネル間に架設するセパフレーム（７）と、からなるパネル枠壁。
【発明の詳細な説明】
【０００１】
【発明の属する技術分野】本発明は、土木建設分野において、基礎コンクリート等のコンクリート建造物を築造する際に使用する金属製のパネル型枠に関するものである。
【０００２】
【従来の技術】近年、基礎コンクリート等のコンクリート建造物を築造するために使用する型枠として、それまでの木製パネルに代えて、金属パネルを使用したものが創案されている。
【０００３】
この金属パネルを使用した型枠は、木製パネルを使用したものと異なり、コンクリートを打設して養生固化した後、一部の部材を除いて、そのまま土中に埋没することができるので、作業を簡素化することができると言った利点がある。
【０００４】
【発明が解決しようとする課題】しかし、この金属パネルを使用した従来の型枠は、それまでの木製パネルの場合と同様に、左右に対向位置する金属パネルのそれぞれに穿設した孔にセパレーターボルトを挿通し、そのセパレーターボルト両端部にナットを螺合して締め付け、固定するといった面倒な作業を必要とする。
【０００５】
また、型枠の外側に多数の単管でやぐらを組んだり、また、金属パネルを外側から支持柱で支持するといった作業も必要とする。これら単管や支持柱は、コンクリート養生後、取除く必要があるので、作業が厄介なものとなっている。
【０００６】
さらに、従来の型枠は、金属パネルを上下に繋ぎ合わせることができないので、それぞれの建造物に対応した高さのものを揃える必要があり、そうした点においても作業が面倒であった。
【０００７】
本発明はこうした点に鑑み創案されたもので、セパレーターボルト、単管およびは支持柱を使用することなく容易に組付けることができ、コンクリート養生後、そのまま土中に埋没することができ、さらに、高さ調節のできる金属製のパネル型枠を提供することを課題とする。
【０００８】
【課題を解決するための手段】図１乃至図８を参照して説明する。この発明に係るパネル型枠は、コンクリート建造物を築造するための型枠であって、少なくとも、捨てコンＣ上に敷設され、左右に対向位置する一対のランナー１と、前記一対のランナー１のそれぞれに、下端部を組付けて立設する複数枚で、かつ複数段の金属パネル２と、前記複数段の金属パネル２の内、上段の金属パネル２の上端部に上から嵌着して、当該上段の金属パネル２を接続するキャップ３と、左右両端部をキャップ３の上から嵌着して、左右に対向位置する金属パネル２間に架設するセパフック４と、前記複数段の金属パネル２間に設けられ、上段の金属パネル２の下端部を上凹部６ｂに嵌入すると共に、下段の金属パネル２の上端部を下凹部６ａに嵌入して、複数段の金属パネル２を接続する横端フレーム６と、左右両端部を、前記横端フレーム６の内上壁６ｃに上から嵌合して、左右に対向位置する金属パネル２間に架設するセパフレーム７と、からなるものである。
【０００９】
【発明の実施の形態】本発明に係るパネル型枠の実施形態を図１乃至図７に示す。このパネル型枠は、建物のコンクリート基礎を築造するための型枠であって、ランナー１、金属パネル２、キャップ３、セパレーターフック即ちセパフック４、横端フレーム６、セパレーターフレーム即ちセパフレーム７、内接続フレーム８および外接続フレーム９で構成される。
【００１０】
ランナー１は、左右に対向位置して、一対、捨てコンＣ上に敷設され、上方に開口する組付凹部１ａを有する。金属パネル２は、一対のランナー１のそれぞれに、下端部を組付けて立設するもので、本実施形態においては三段設け、上段、中段および下段のそれぞれに複数枚設けている。キャップ３は、複数段の金属パネル２の内、上段金属パネル２ａの上端部に上から嵌着して、当該複数枚である上段金属パネル２ａを直線状に接続している。また、セパフック４は、左右両端部に下方に開口する嵌合凹部４ａを有し、その嵌合凹部４ａをキャップ３の上から嵌着して、左右に対向位置する上段金属パネル２ａ間に架設している。
【００１１】
横端フレーム６は、上段金属パネル２ａと中段金属パネル２ｂの間と、中段金属パネル２ｂと下段金属パネル２ｃの間に、上下二組設けている。このうち、上方の横端フレーム６は、上段金属パネル２ａの下端部を上凹部６ｂに嵌入すると共に、中段金属パネル２ｂの上端部を下凹部６ａに嵌入している。また、下方の横端フレーム６は、中段金属パネル２ｂの下端部を上凹部６ｂに嵌入すると共に、下段金属パネル２ｃの上端部を下凹部６ａに嵌入している。こうして、三段に配した多数枚の金属パネル２を、水平方向と垂直方向の双方にわたって接続している。
【００１２】
セパフレーム７は、その左右両端部に切欠き部７ａを有し、当該切欠き部７ａを、横端フレーム６の内上壁６ｃに上から嵌合して、左右に対向位置する金属パネル２間に架設している。
【００１３】
内接続フレーム８は、隣接する横端フレーム６の各内上壁６ｃと内下壁６ｄの両端部に嵌合して、前記隣接する横端フレーム６を内側で接続している。また、外接続フレーム９は、隣接する横端フレーム６の外上壁６ｅと外内壁の両端部に嵌合して、同様に、隣接する横端フレーム６を外側で接続している。
【００１４】
なお、少なくとも、セパフレーム７と横端フレーム６や、内接続フレーム８および外接続フレーム９と横端フレーム６は、適宜箇所においてピン５で固定している。この場合、セパフレーム７等には、ピン５が挿通するピン孔１０を穿設している。
【００１５】
本実施形態に係るパネル枠体は、セパフック４およびセパフレーム７を、対向位置する一対の金属パネル２間に、キャップ３または横端フレーム６を介して、上から嵌着して架設しているので、従来のようにセパレーターボルトを孔に挿通し、その両端部をナットで締結するといった面倒な作業を不要とし、容易に取付けることができる。また、単管や支持柱を使用しないので、これによっても作業が容易となる。さらに、一段または複数段の金属パネル２を設けることができるので、型枠の高さを自在に調節することができる。
【００１６】
なお、このセパフック４およびセパフレーム７を設けたことによって、型枠内に打設されるコンクリートの圧力に耐えうる強度を確保することができる。
また、ランナー１、キャップ３および横端フレーム６によって、複数枚の金属パネル２を、水平方向に容易かつ円滑に接続することができる。また、横端フレーム６によって、複数段の金属パネル２を水平方向と垂直方向の双方に容易に接続することができる。さらに、内接続フレーム８と外接続フレーム９によって、隣接する横端フレーム６を直線状に接続することができる。
【００１７】
本実施形態においては、金属パネル２を三段に設けているが、本発明はこれに限定するものではなく、二段あるいは四段以上設けることもできる。また、金属パネル２の高さは、各段ごとに異なるものでも良いし、その長さは、同一でも異なるものでも良い。
【００１８】
本発明に係るパネル型枠の他の実施形態を、図８に示す。このパネル型枠は、金属パネル２と金属製の小パネル１１とを、横端フレーム６で接続している。また、コーナー部にはコーナーキャップ１２を嵌着して、当該パネル型枠の強度を維持している。
【００１９】
【発明の効果】この発明に係るパネル型枠は、セパフック４とセパフレーム７を、キャップ３または横端フレーム６を介して、金属パネル２の上から嵌着するので、取付け作業が容易である。また、単管や支持柱を使用しないので、作業がさらに容易となる。さらに、単数または複数段の金属パネル２を自在に設けることができるので、型枠の高さを自在に調節することができる。
【図面の簡単な説明】
【図１】本発明に係るパネル型枠の実施形態を示す部分斜視図である。
【図２】図１に示すパネル型枠の分解正面図である。
【図３】図１におけるセパフックを示すもので、（ａ）は平面図、（ｂ）正面図、（ｃ）は側面図
【図４】図１におけるセパフレームを示すもので、（ａ）は正面図、（ｂ）は側面図である。
【図５】図１における横端フレームを示すもので、（ａ）は平面図、（ｂ）は正面図、（ｃ）は側面図である。
【図６】図１における内接続フレームを示すもので、（ａ）は側面図、（ｂ）は正面図である。
【図７】図１における外接続フレームを示すもので、（ａ）は平面図、（ｂ）は正面図である。
【図８】本発明に係るパネル型枠の他の実施形態を示す部分斜視図である。
【符号の説明】
１      ランナー
１ａ    組付凹部
２      金属パネル
２ａ    上段金属パネル
２ｂ    中段金属パネル
２ｃ    下段金属パネル
３      キャップ
４      セパフック
４ａ    嵌合凹部
５      ピン
６      横端フレーム
６ａ    下凹部
６ｂ    上凹部
６ｃ    内上壁
６ｄ    内下壁
６ｅ    外上壁
６ｆ    外下壁
７      セパフレーム
７ａ    切欠き部
８      内接続フレーム
９      外接続フレーム
１０    ピン孔
１１    小パネル
１２    コーナーキャップ
Ｃ      捨てコン
【図１】
2004285620.tif 000003
【図２】
2004285620.tif 000004
【図３】
2004285620.tif 000005
【図４】
2004285620.tif 000006
【図５】
2004285620.tif 000007
【図６】
2004285620.tif 000008
【図７】
2004285620.tif 000009
【図８】
2004285620.tif 000010